(57)【要約】    【課題】  パネル仕切装置に於いて、側壁パネル、前面パネルの支持構造で、エッヂが露出しない様にすると共に、パネル保持金具等固定の為の露出した補助具を使用しない構造として、より安全性の向上を図ると共に意匠性の向上を図る。    【解決手段】  パネル２の端部に凹部２５を形成し、前記パネルが連結される被連結部１に連結部材２８を固着し、前記パネルと前記被連結部とが接合した状態で、前記連結部材が前記凹部に収納され、前記連結部材が前記パネルに固定されることで前記パネルと前記被連結部とが連結される様構成した。    【選択図】          図３
2007040060.tif 000002
【特許請求の範囲】
【請求項１】
パネルの端部に凹部を形成し、前記パネルが連結される被連結部に連結部材を固着し、前記パネルと前記被連結部とが接合した状態で、前記連結部材が前記凹部に収納され、前記連結部材が前記パネルに固定されることで前記パネルと前記被連結部とが連結される様構成したことを特徴とするパネル仕切装置。
【請求項２】
前記連結部材は金属製部材であり、該連結部材が前記凹部に嵌入した状態で前記パネルと前記連結部材とが固定された請求項１のパネル仕切装置。
【請求項３】
前記連結部材は金属製部材であり、前記凹部に他の連結部材が設けられ、前記パネルと前記被連結部とが接合した状態で、前記連結部材と前記他の連結部材とが嵌合し、前記連結部材、前記他の連結部材、前記パネルとが固定されることで前記パネルと前記被連結部とが連結される請求項１のパネル仕切装置。
【発明の詳細な説明】
【技術分野】
【０００１】
本発明は、パネルにより間仕切り所要の空間を画成するパネル仕切装置に関するものである。
【背景技術】
【０００２】
ビルのフロア等広い空間を間仕切り、居住空間用の室を形成し、或はトイレ用の空間を形成する為に、パネル仕切装置が有り、該パネル仕切装置ではパネルを壁面等建物の躯体に固定し、或はパネル同士適宜連結し所要の空間を画成する。
【０００３】
一般的なパネル仕切装置では、パネルの下端は床面に固定され、上端は所要高さで水平に設けられた笠木に支持され、パネル同士は側端部で連結される構造となっている。
【０００４】
又、小児を対象としたパネル仕切装置、例えば小児用のトイレブース等では、パネルの高さが低く設定される。この為、高さが低く設定されるパネル仕切装置では、通行の障害になる等の虞れがあることから笠木は設けられず、パネルは壁面、或はパネル同士のみで支持される構造となっている。
【０００５】
図１０、図１１に於いて、従来の高さが低く設定されたパネル仕切装置（以下ロータイプパネル仕切装置と称す）について説明する。
【０００６】
図１０、図１１中、１は建屋の壁面等の躯体であり、該躯体１に側壁パネル２が所定の間隔で取付けられ、該側壁パネル２の前端に前面パネル３が連結される。隣接する前面パネル３，３は出入りする為の開口が形成される様、間隔を隔てて設けられ、前面パネル３，３間には、扉パネル４が蝶番５を介して一方の前面パネル３に回転自在に取付けられている。
【０００７】
尚、図中、６は前記扉パネル４の前面に設けられた取手、７は前記扉パネル４の後面に設けられ、水平方向に摺動自在な施錠棒、８は前記前面パネル３の後面に設けられ前記施錠棒７と嵌脱可能なストライクである。
【０００８】
次に、前記側壁パネル２の支持構造について説明する。
【０００９】
前記躯体１にパネル保持具９が上下方向に螺子等により固着される。該パネル保持具９は、アルミ材等の引抜き材であり、断面がコの字状となっており、前記パネル保持具９に前記側壁パネル２の後端部が嵌入され、前記パネル保持具９は露出する構造となっている。該側壁パネル２の下端には前後２箇所に脚部材１１が固着され、該脚部材１１と床面１２とは螺子により固着されている。
【００１０】
前記躯体１と前記床面１２は、施工上の誤差もあり、正確な垂直、水平となっていない場合が多く、前記パネル保持具９と前記側壁パネル２とは施工上の誤差を吸収する為、固定されず、単に嵌入されたのみの状態となっている。この為、前記躯体１と前記側壁パネル２間に隙間が生じた場合は、間隙は前記パネル保持具９により封止され、意匠性が損われない様になっている。
【００１１】
前記パネル保持具９は前記側壁パネル２を強度的には支持しない構造となっているので、前記側壁パネル２と前記躯体１間には直角に形成されたパネル保持金具１３が少なくとも上部に露出して設けられ、前記側壁パネル２は前記パネル保持金具１３を介して前記躯体１に支持される様になっている。
【００１２】
又、前記前面パネル３の下端には左右２箇所に前記脚部材１１が固着され、該脚部材１１を介して前記前面パネル３の下端が支持され、又該前面パネル３と前記側壁パネル２間には少なくとも上部に露出してパネル保持金具１４が固着され、前記前面パネル３は前記パネル保持金具１４を介して前記側壁パネル２に支持される構造となっている。
【００１３】
上記した従来のパネル仕切装置では、前記パネル保持具９が露出する構造であり、該パネル保持具９の端部処理がなされていない場合、エッヂがたっている場合があり衣服等を引掛ける虞れがあった。又、前記パネル保持金具１３、前記パネル保持金具１４により前記側壁パネル２、前記前面パネル３を支持する構造であり、意匠性を損うという不具合もあった。
【００１４】
尚、仕切用パネルを壁面に固定する構造としては、特許文献１に示すものがある。
【００１５】
【特許文献１】特開２００１−１８２３４０号公報
【発明の開示】
【発明が解決しようとする課題】
【００１６】
本発明は斯かる実情に鑑み、側壁パネル、前面パネルの支持構造で、エッヂが露出しない様にすると共に、パネル保持金具等固定の為の露出した補助具を使用しない構造として、より安全性の向上を図ると共に意匠性の向上を図るものである。
【課題を解決するための手段】
【００１７】
本発明は、パネルの端部に凹部を形成し、前記パネルが連結される被連結部に連結部材を固着し、前記パネルと前記被連結部とが接合した状態で、前記連結部材が前記凹部に収納され、前記連結部材が前記パネルに固定されることで前記パネルと前記被連結部とが連結される様構成したパネル仕切装置に係り、又前記連結部材は金属製部材であり、該連結部材が前記凹部に嵌入した状態で前記パネルと前記連結部材とが固定されたパネル仕切装置に係り、更に又前記連結部材は金属製部材であり、前記凹部に他の連結部材が設けられ、前記パネルと前記被連結部とが接合した状態で、前記連結部材と前記他の連結部材とが嵌合し、前記連結部材、前記他の連結部材、前記パネルとが固定されることで前記パネルと前記被連結部とが連結されるパネル仕切装置に係るものである。
【発明の効果】
【００１８】
本発明によれば、パネルの端部に凹部を形成し、前記パネルが連結される被連結部に連結部材を固着し、前記パネルと前記被連結部とが接合した状態で、前記連結部材が前記凹部に収納され、前記連結部材が前記パネルに固定されることで前記パネルと前記被連結部とが連結される様構成したので、支持構造を構成する部材が外部に露出せず、衣服等を引っ掛ける等の心配もなく、又意匠性が向上する等の優れた効果を発揮する。
【発明を実施するための最良の形態】
【００１９】
以下、図面を参照しつつ本発明を実施する為の最良の形態を説明する。
【００２０】
図１、図２に於いて、図１０、図１１中で示したものと同等のものについては同符号を付してある。
【００２１】
側壁パネル２の後端は、後述する支持構造１５を介して被連結部である躯体１に固定され、前記側壁パネル２の下端は前後２箇所の脚部材１１を介して床面１２に固定されている。又前記側壁パネル２の前端には後述する支持構造１６を介して被連結部である前面パネル３が連結されており、隣接する前面パネル３，３間には出入り用の開口１７が形成される。
【００２２】
一方の前面パネル３の前面に蝶番１８が取付けられ、該蝶番１８を介して扉パネル４が前記前面パネル３に回転自在に取付けられる。又、他方の前面パネル３の前面には戸当りを兼ねるストライク１９が取付けられている。
【００２３】
前記扉パネル４と前記前面パネル３との間には所定以上の間隙２１が形成される様になっており、例えば間隙２１の大きさは指の太さ以上となっており、更に前記ストライク１９の位置は前記扉パネル４の戸先から指が容易に到達しない様な奥行となっている。前記間隙２１が形成されることで、前記扉パネル４の開閉時に前記扉パネル４と前記前面パネル３間に指が挟まることが防止される。
【００２４】
前記扉パネル４には、回転可能な施錠棒２３が設けられ、該施錠棒２３は前記ストライク１９に嵌脱可能となっている。
【００２５】
前記支持構造１５について、図３〜図５を参照して説明する。
【００２６】
前記側壁パネル２の後端部には後端面側から上下に延びる断面凹状の凹部である溝２５が穿設され、該溝２５には断面コの字状の他の連結部材であるパネル側エンド部材２６が嵌設され、該パネル側エンド部材２６は連結部材として鋼板材等強度を有する材質とし、該パネル側エンド部材２６の底面と前記溝２５の底面とが螺子２７等の固着具により固定される。尚、前記溝２５は上下に貫通せず、少なくとも前記側壁パネル２の上部からは前記溝２５は見えない様になっている。
【００２７】
又、前記躯体１の前記側壁パネル２が取付けられる位置には、連結部材である壁側エンド部材２８が螺子２９等の固着具により取付けられる。前記壁側エンド部材２８は連結部材として鋼板材等強度を有する材質とし、断面コの字状で前記パネル側エンド部材２６に内嵌可能であり、上下長は前記溝２５の長さに対して少し短くなっており、前記壁側エンド部材２８と前記側壁パネル２との上下方向の位置調整が可能になっている。又、前記壁側エンド部材２８に前記螺子２９が貫通する孔は丸孔であるが、水平方向に長孔とし、前記壁側エンド部材２８の水平方向の位置を調整可能としてもよい。尚、前記パネル側エンド部材２６、前記壁側エンド部材２８はアルミ等を材質とする引抜き材或は押出し材としてもよい。
【００２８】
前記側壁パネル２を前記躯体１に取付ける場合は、先ず前記側壁パネル２に前記パネル側エンド部材２６を取付け、前記脚部材１１を前記側壁パネル２の下端に取付ける。更に前記壁側エンド部材２８を前記躯体１に取付ける。
【００２９】
前記脚部材１１により前記側壁パネル２の高さ位置を決定し、前記壁側エンド部材２８が前記パネル側エンド部材２６に内嵌する様に前記側壁パネル２を位置決めする。前記パネル側エンド部材２６と前記壁側エンド部材２８とが嵌合した状態では、前記パネル側エンド部材２６とは所定の重合代があり、該重合代により前記パネル側エンド部材２６と前記壁側エンド部材２８間の固定が可能であると共に後述する間隙に対応した出入りが可能となっている。
【００３０】
前記側壁パネル２と前記床面１２とで施工誤差により、前記側壁パネル２の後端面と前記躯体１間で隙間を生じたとしても、前記パネル側エンド部材２６と前記壁側エンド部材２８間とが出入りし、前記パネル側エンド部材２６と前記壁側エンド部材２８間の嵌合状態は維持され、前記側壁パネル２と前記躯体１間に隙間が生じることが防止される。
【００３１】
前記側壁パネル２の最終的な位置決めが完了すると、前記側壁パネル２の室内側より前記パネル側エンド部材２６と前記壁側エンド部材２８との重合部に前記側壁パネル２、前記パネル側エンド部材２６、前記壁側エンド部材２８を貫通した下孔を穿設する、尚、下孔は図４に示される様に、片側の重合部のみを貫通する様にする。下孔にタッピング螺子３１を螺入する等、所要の固着具により、前記側壁パネル２を前記壁側エンド部材２８に取付ける。前記側壁パネル２は前記パネル側エンド部材２６、前記壁側エンド部材２８を介して前記躯体１に取付けられる。
【００３２】
前記側壁パネル２と前記躯体１間の荷重伝達経路は、前記パネル側エンド部材２６、前記タッピング螺子３１、前記壁側エンド部材２８の金属部材により構成され、高荷重の伝達が可能となる。又、前記パネル側エンド部材２６、前記壁側エンド部材２８はいずれも前記溝２５内に収納され、前記支持構造１５は外部に露出しない構成となっている。
【００３３】
尚、前記タッピング螺子３１の頭が露出してよい場合は、ボルト頭の形状は丸みのある鍋型のものが使用され、ボルト頭を隠す場合は、図４に示される様に皿形状のものが使用され、ボルト頭にキャップ３２が装着される。
【００３４】
次に、図６〜図９に於いて、前記支持構造１６について説明する。
【００３５】
前記側壁パネル２の前端部に前面側から凹溝３４が刻設され、該凹溝３４の底部に連結金具３５が所要間隔で取付けられ、前記前面パネル３の後面側端部には前記連結金具３５に結合可能な連結子３６が突設され、前記側壁パネル２と前記前面パネル３とは、前記連結金具３５と前記連結子３６との結合で連結される。
【００３６】
前記連結金具３５は、図８、図９に見られる様に、中央部が盛上がったブリッジ形状をしており、脚部３５ａが螺子等の固着具３７で前記凹溝３４の底面に固着される。又梁部３５ｂは上端から下端に向って前記凹溝３４の底面に近接する傾斜面となっており、上部の脚部３５ａから前記梁部３５ｂに掛渡ってスリット形状の結合孔３８が穿設されている。
【００３７】
前記連結子３６は、フランジ付螺子となっており、ボルト頭３６ａとフランジ３６ｂ間には前記結合孔３８と嵌合する係合溝３９が形成されている。
【００３８】
前記側壁パネル２と前記前面パネル３との連結は、前記連結子３６のボルト頭３６ａを前記凹溝３４の前記連結金具３５上方に挿入し、前記係合溝３９を前記結合孔３８に落込ませる。前記梁部３５ｂは傾斜しているので、前面パネル３が下方に変位することで、前記ボルト頭３６ａが前記梁部３５ｂによって前記側壁パネル２側に引寄せられ、前記前面パネル３が前記側壁パネル２に密着する。尚、前記前面パネル３の下端には、前記脚部材１１が事前に取付けられ、前記前面パネル３の高さ調整がされている。
【００３９】
前記支持構造１６に於いても、前記連結金具３５、前記連結子３６はいずれも前記凹溝３４内に収納され、前記支持構造１６は外部に露出しない構成となっている。又、荷重伝達は、前記連結子３６、前記連結金具３５の金属部材を介して伝達され、高荷重の伝達が可能である。
【００４０】
尚、前記側壁パネル２と前記前面パネル３との連結に於いて、前記前面パネル３に凹溝３４を形成して前記連結金具３５を設け、前記側壁パネル２の前端面に前記連結子３６を突設してもよい。
【００４１】
又、前記側壁パネル２、前面パネル３は、木質系、鋼板系等種々の材質が適用可能であり、又前記側壁パネル２自体が充分な強度を有している場合は、前記パネル側エンド部材２６を省略し、前記側壁パネル２と前記壁側エンド部材２８とを直接前記タッピング螺子３１で固着してもよい。
【００４２】
上述した様に、本発明では支持構造１５、支持構造１６共にパネル内部に収納される構造であり、部材のエッヂが露出しないのでより安全性が向上し、更に意匠性も向上する。又荷重伝達経路は強度を有する金属製部材で構成されるので、側壁パネル２、前面パネル３は充分な支持力で支持される。
【００４３】
尚、本発明は上記実施の形態に限られるものではなく、種々変更が可能である。例えば、連結部材や他の連結部材の形状は、断面コの字状としたが、断面ロの字状等でもよく、パネルの凹部に嵌入して、パネルを固定し易い形状であれば任意である。連結部材や他の連結部材の材質は、金属製部材が好ましいが、パネルを固定した際の荷重を支持し強度を有する部材であれば、木製や合成樹脂製、複合材等でもよい。連結部材や他の連結部材は、施工性のよい長尺なものにて構成することが好ましいが、短尺なものを連続的又は断続的に配置する構成としてもよい。更に、連結部材と他の連結部材やパネルとの固定は、螺子等の固着具としたが、接着剤等としてもよく、固定の為の他の部材を用いずにこれらの連結部材と他の連結部材やパネルの部材同士の係合や嵌合等としてもよい。
【図面の簡単な説明】
【００４４】
【図１】本発明の実施の形態を示す斜視図である。
【図２】本発明の実施の形態を示す平面図である。
【図３】本発明の実施の形態に於ける支持構造を示す側面図である。
【図４】図３のＡ−Ａ矢視図である。
【図５】図４のＢ−Ｂ矢視図である。
【図６】本発明の実施の形態に於ける支持構造を示す側面図である。
【図７】図６のＣ−Ｃ矢視図である。
【図８】本発明の実施の形態に於ける支持構造を示す説明図である。
【図９】図８のＤ矢視図である。
【図１０】従来例を示す斜視図である。
【図１１】従来例の平面図である。
【符号の説明】
【００４５】
１              躯体
２              側壁パネル
３              前面パネル
４              扉パネル
１５            支持構造
１６            支持構造
２１            間隙
２５            溝
２６            パネル側エンド部材
２８            壁側エンド部材
３１            タッピング螺子
３４            凹溝
３５            連結金具
３６            連結子
【図１】
2007040060.tif 000003
【図２】
2007040060.tif 000004
【図３】
2007040060.tif 000005
【図４】
2007040060.tif 000006
【図５】
2007040060.tif 000007
【図６】
2007040060.tif 000008
【図７】
2007040060.tif 000009
【図８】
2007040060.tif 000010
【図９】
2007040060.tif 000011
【図１０】
2007040060.tif 000012
【図１１】
2007040060.tif 000013